(57)【要約】【課題】  サイド面を全開し、内容物を取り出しやすくし、中味が少なくなったときは箱を小形化して、輸送効率を良好にしたラップアラウンドケースを提供することを課題とする。【解決手段】  一対のサイドサイドパネルと、該サイドサイドパネルに連接した内フラップとに跨がるように連続する第１の切取部１０を設け、前記一対の立面パネルとこの立面パネルに連接する外フラップとに、それぞれの略半分の高さ位置で連続する第２の切取部１４を設け、前記第２の切取部によりケース本体を上下に分割できるようする。【選択図】図４
0003153366.tif 000002
【実用新案登録請求の範囲】
【請求項１】
一対の立面パネルと一対のサイドパネルを連設して商品を包み込み、サイドパネルから延びる内フラップに、立面パネルから延びる外フラップを貼り合わせて封緘するラップアラウンド式包装ケースにおいて、
前記一対のサイドサイドパネルと、該サイドサイドパネルに連接した内フラップとに跨がるように連続する第１の切取部を設け、前記一対の立面パネルとこの立面パネルに連接する外フラップとに、それぞれの略半分の高さ位置で連続する第２の切取部を設け、前記第２の切取部によりケース本体を上下に分割できるようにしたことを特徴とする小形化できるラップアラウンド式包装ケース。
【請求項２】
前記サイドパネルの一つには、これに連接した内フラップとの間の稜線上に誘導切目を設けると共に、内フラップ上の第１の切取部を横切る方向に切れ目を有していることを特徴とする請求項１に記載の小形化できるラップアラウンド式包装ケース。
【考案の詳細な説明】
【技術分野】
【０００１】
この考案は、小形化できるラップアラウンド式包装ケースに係る。
【背景技術】
【０００２】
近年、缶コーヒー等の缶入り飲料等は、郊外に設置されている無人の自販機を通じて販売に供されることが多くなってきている。このような自販機に商品である飲料等を補給する作業はルートセールスと呼ばれており、２０〜３０本単位でラップアラウンドケースに詰められている商品（缶入り飲料）をルートセールス員が取り出して自販機に投入し、残った商品や回収した空容器は運搬車両で持ち帰っている。
【０００３】
ラップアラウンドケースは、通常天面に接着されている内外フラップを開くことにより開封する。或いはケース胴に設けたカットテープ等の開封手段によりケースを開封して内容物を取り出すことができるものとなっている（特許文献１〜３）。
【０００４】
通常、缶コーヒー等の缶入り飲料等はラップアラウンドケースを台車で自販機の近くまで搬入し、ケースを開封し商品（缶入り飲料）を取出して自販機に投入する等の使い方をしている。
しかしラップアラウンドケースは、ルートセールス時にケースから内容物を一挙に全部取り出すのではなく、必要量だけ取り出し、残りはケースに残して保管しておくという使い方をする。
そのために、ラップアラウンドケースは内容物の取出しが容易であるだけなく、ルートセールス時にケースの高さを低めること、言い換えれば箱を小さくして輸送効率を良好にすることが要請されている。
【先行技術文献】
【特許文献】
【０００５】
【特許文献１】特開平８−１９８２４７号公報
【特許文献２】特開平７−３２９９５５号公報
【特許文献３】実開平５−７７０２３号公報
【特許文献４】実開平７−９７２１号公報
【考案の概要】
【考案が解決しようとする課題】
【０００６】
そこで本考案は、ケース側面に帯状切取部を形成させて内容物を取り出す時にフラップを開かずに、ケースを横置きにしてケース側面を大きく開封して、内容物の取出しが容易にできるようにすると共に、開封後、中味が少なくなったときはケース胴を上下に切断することを可能ならしめてケース高さを低めることにより箱を小形化して、輸送効率を良好にしたものである。
【課題を解決するための手段】
【０００７】
上記課題を解決するため、この考案は、
一対の立面パネルと一対のサイドパネルを連設して商品を包み込み、サイドパネルから延びる内フラップに、立面パネルから延びる外フラップを貼り合わせて封緘するラップアラウンド式包装ケースにおいて、
前記一対のサイドサイドパネルと、該サイドサイドパネルに連接した内フラップとに跨がるように連続する第１の切取部を設け、前記一対の立面パネルとこの立面パネルに連接する外フラップとに、それぞれの略半分の高さ位置で連続する第２の切取部を設け、前記第２の切取部によりケース本体を上下に分割できるようにしたことを特徴とするものである。
また、前記サイドパネルの一つには、これに連接した内フラップとの間の稜線上に誘導切目を設けると共に、内フラップ上の第１の切取部を横切る方向に切れ目を有していることが特徴である。
【考案の効果】
【０００８】
この考案のラップアラウンド式包装ケースは、商品を取り出す際、ケースを横置きにしてケースサイド面を切離して開封することができる。この場合にサイド面は間口部が広くとれるので内容物の取出しが容易であり、必要量だけ取り出し、残りはケースに残しておくことができる。
又、内容物が少なくなればケース胴を上下に分割して箱の高さを低くできるので、箱を小さくして、輸送効率を良好にすることができる。
また本考案は、通常のラップアラウンドケースと同等のコストでラップアラウンド製函機により製造が可能である。
【図面の簡単な説明】
【０００９】
【図１】本考案のラップアラウンド式包装ケースの展開図である。
【図２】組み立て状態の斜視図である。
【図３】図１のケースサイド面の開封状態を説明する斜視図である。
【図４】ケース胴を上下に分割する時の説明図である。
【図５】小形化したケースの斜視図である。
【考案を実施するための形態】
【００１０】
以下、図面を参照して本考案の実施の形態を説明する。
図１に示すようにこのケースのブランクは、一対の立面パネル１、３と一対のサイドパネル２、４とにより周壁を形成して商品を包み込み、サイドパネルから延びる内フラップ７、９に、立面パネルから延びる外フラップ６、８を貼り合わせて周壁の端面を閉じて封緘するラップアラウンド式のものとなっている。
【００１１】
ケースのサイドパネル２、４と、サイドパネルに連接した内フラップ７、９とに跨るように帯状に連続する切取部（第１切取部）１０を形成する。またこのサイドパネルの中央位置には略Ｈ字型をしたつまみ用切目１１を形成している。
そして、一方のサイドパネル7と、これに連接した内フラップ７とが形成する稜線上には鉤形をした誘導切れ目１２を形成している。また一方の内フラップ７には、帯状切取部１０を横切る方向に切目１３を設けている。この切目１３の作用で内フラップ７が2分されずに、切り残しにより内フラップ７が一体化したまま残るようにしたもので、これによって内フラップの強度が保守できものとなる。
さらに、前記一対の立面パネル1、３とこのパネルに連接する両外フラップ６、７とには、それぞれの略半分の高さ位置に、帯状に連続する切取部（第２切取部）１4を形成する。この切取部（第２切取部）は、組立て後のケース本体を上下に分割できるものとなる。符号１５はつまみ用切込みである。
【００１２】
因みに前記の切取部（第１切取部と第２切取部）は、例えば、段ボールの裏側ライナーにのみ２本の平行な切込線を設けて、帯状切取部を形成したもの、段ボールの断面全体にジッパーと呼ばれる切込線を設けて帯状切取部を形成したもの、内側にカットテープを貼着し、この内側のカットテープを引き起こしてケースを開封するもの等で構成されていてもよい。
図示例は、段ボールの裏側ライナーにのみに２本の平行な切込線を設けたライナーカットの例である。
【００１３】
次に本ケースの作用を説明する。
本考案のケースは、通常のラップアラウンドケースと同様にラップアラウンド製函機により製造が可能である。
商品を包装後、これをケースより取り出す際、ケースを横置きにしてケースサイド面を開封することができる。前述したが、ルートセールス時において、自動販売機に不足している商品（缶容器）をカートンから取り出す場合は、直立させたカートンの一般に端壁を構成するフラップを開くことにより開封し、内容物を取り出すことが行われている。
【００１４】
しかし、本考案は内容物を取り出す時にフラップを開かずにケースを横置きにしてケースサイドを全面開封できるようにしたものである。すなわち図２及び図3のようにサイドパネル２から覗いている略Ｈ字型の切れ目１１より帯状切取部１０と切目１２に沿ってケースのサイド面を全面開封する。サイド面はケースの短面よりも間口が広いことと、フラップがないので内容物の取出しが容易であり、必要量だけ取り出し、残りはケースに残しておくことができる。
また、ケースの中味が少なくなったときは、図4〜５のように、ケース胴を上下を切断してケース高さを低めることにより、箱を小形化することが容易となる。
【００１５】
従って、本考案のラップアラウンドケースは、自動販売機へのルートセールス作業時には箱を小さくして、少ない容量で運搬作業することができものである。
【符号の説明】
【００１６】
１、３  立面パネル
２、４  サイドパネル
５  継代
６、８  外フラップ
７，９  内フラップ
１０、１４  帯状切取部
１２  誘導切れ目
１３  切れ目
【図１】
0003153366.tif 000003
【図２】
0003153366.tif 000004
【図３】
0003153366.tif 000005
【図４】
0003153366.tif 000006
【図５】
0003153366.tif 000007